(57)【要約】【課題】錠箱の側面が扉の両内壁面に平行でなく、斜めに傾いていた場合であっても、扉の両内壁面に平行に矯正した位置で、錠箱を扉の両内壁面に高精度かつ確実に支持することができる錠箱の位置決め機構を提供する。【解決手段】中空扉の木口に一端面を固定して内蔵される錠箱１の両側面１９を、対面する扉の両内壁面１８に当接支持する錠箱１の位置決め機構であって、錠箱１の位置決め機構は、開閉支持脚２と支持部材３と保持部材４と押圧部材５と操作手段６と固定板７とを有し、固定板７の長手方向に並んだ第１の回動軸８の配列および４つの脚２ａ、２ｂ、２ｃ、２ｄは、４つの脚２ａ、２ｂ、２ｃ、２ｄが開くことで、錠箱１の両側面１９を、扉の両内壁面１８に平行にさせるように構成されたことを特徴とする。【選択図】図５
2012215020.tif 000002
【特許請求の範囲】
【請求項１】
中空扉の木口に一端面が固定されて内蔵される錠箱の両側面を、該両側面それぞれが対面する扉の内壁面に当接支持する錠箱の位置決め機構であって、
前記錠箱の位置決め機構は、固定部材と開閉支持脚と支持部材と保持部材と押圧部材と操作手段とを有し、
前記固定部材は、前記錠箱に固定または一体として設けられ、
前記開閉支持脚は、先端近傍が上下方向の第１の回動軸回りに回動可能に前記固定板に支持され、前記回動軸が配置された前記先端に連動部が設けられた４つの脚から構成され、
該４つの脚は、上下方向の第２の回動軸回りに回動可能に支持する一対の前記支持部材に支持される一対の脚と、長手方向に配置された連動部により連動する一対の脚とから構成され、４つの開脚側先端が前記錠箱の前記両側面より突出して前記扉の両内壁面に近接し、
前記保持部材は、前記一対の支持部材のそれぞれに対して設けられた上下方向の第３の回動軸回りに回動可能であるよう、該一対の支持部材のそれぞれに支持されると共に、前記押圧部材の長手方向への移動と連動して移動するよう構成され、
前記押圧部材は、前記保持部材に係合される係合部と、前記保持部材を押圧する押圧部とから構成され、
前記操作手段は、前記扉の木口に一部分を露出させ該露出部の操作によって前記押圧部材で前記保持部材を押圧し、前記支持部材を介して前記支持部材に支持される一対の脚を押圧し、
前記固定板の長手方向に並んだ前記第１の回動軸の配列および前記４つの脚は、前記４つの脚が開くことで、前記錠箱の両側面を、前記扉の両内壁面に平行にさせるように構成されたことを特徴とする錠箱の位置決め機構。
【請求項２】
前記保持部材は、前記一対の支持部材のそれぞれに上下方向の第３の回動軸回りに回動可能に支持される底面部と、水平方向に長い穴が形成された側面部とから構成され、前記押圧部材に対して揺動自在に設けられたことを特徴とする請求項１記載の錠箱の位置決め機構。
【請求項３】
前記保持部材は、前記一対の支持部材のそれぞれに上下方向の第３の回動軸回りに回動可能に支持されると共に、第４の回動軸回りに回動可能であるよう前記押圧部材に連結されるよう構成されたことを特徴とする請求項１記載の錠箱の位置決め機構。
【請求項４】
前記４つの脚の長手方向の長さが全て等しく、かつ、前記固定板の長手方向に並んだ前記第１の回動軸の配列および前記４つの脚が前記錠箱の側面に平行に配置され、前記４つの脚を開くことで、前記錠箱の両側面を、前記扉の両内壁面に平行にさせるように構成されたことを特徴とする請求項１から３の何れか１項に記載の錠箱の位置決め機構。
【請求項５】
錠箱の位置決め機構が、前記錠箱の上部及び下部のそれぞれに設けられたことを特徴とする請求項１から４の何れか１項に記載の錠箱の位置決め機構。
【請求項６】
前記係合部は、一端で前記押圧部に連接され、他端の先端近傍が、前記保持部材に形成された前記穴の上下方向の幅より上下方向の幅が大きくなるように構成されたことを特徴とする請求項１または２、４、５のいずれか１項に記載の錠箱の位置決め機構。
【請求項７】
前記操作手段は、調整ネジとナットとから構成され、調整ネジは押圧部材の押圧部に固定され、取り付け固定板に固定されるナットに螺合されるとともに、扉の木口に露出させた前記露出部である頭部の回動操作によって前記押圧部材を介して前記保持部材と前記支持部材を押圧可能とし、前記支持部材に支持される一対の脚を開閉可能としたことを特徴とする請求項１〜６のいずれか１項に記載の錠箱の位置決め機構。
【請求項８】
前記４つの開閉支持脚のそれぞれの開脚側先端に、前記ピンと同方向の軸を介して回動自在に支持され開脚側外面が前記扉の内壁面に当接する当接部材を有することを特徴とする請求項１〜７のいずれか１項に記載の錠箱の位置決め機構。
【発明の詳細な説明】
【技術分野】
【０００１】
本発明は、中空扉に内蔵される錠箱を、扉の両内壁面にがたつきなく支持して位置決めする錠箱の位置決め機構に関する。
【背景技術】
【０００２】
扉に内蔵される錠箱は、扉の室内外側に取り付けられるノブ、室外側に露出するシリンダー錠、室内側に露出するサムターンなどを有して構成される。錠箱にはロック部材であるデッドボルトが扉の吊り元と反対側の端面、所謂木口から進退自在に設けられる。デッドボルトは、屋外側に露出されたシリンダー錠の錠孔に、合錠（キー）を挿入して回転操作することにより、扉の木口より進退されて、扉枠側に対して施解錠を行う一方、屋内側からは、サムターン摘みが回転操作されるのみで進退され、扉の施解錠を簡便に行えるようにしている。
【０００３】
錠箱は、扉に内蔵される状態で扉に対して斜めに取り付けられると、扉表裏面のノブやシリンダ、サムターンなどの構成部品、或いはラッチやデッドボルトなどの取付けに支障をきたす。特に扉が中空である場合には、木口部分のみで錠箱を支持することができず、扉内面と錠箱との間に何らかの支持部材が必要となる。従来、一般的な中空扉では、扉の厚み方向のセンターに、錠箱の厚み方向のセンターが一致して錠箱が不具合なく取付けられた。これら扉センターと錠箱センターとを合わせるには、錠箱の表裏面に同等長さの支持部材、例えば棒状突起やスタッドボルトなどを設けたり、或いは下記特許文献１に開示される錠箱における振れ止め装置のように、木口側からネジを回転することで同距離突出する杆状部材で、扉両内壁面への支持を行っていた。
【０００４】
しかしながら、近年、扉のデザイン性などの要請から、扉の厚み方向のセンターに錠箱のセンターが一致しない構造で錠箱の取り付けられる扉が増えてきている。この場合、上記した中空構造の扉では、棒状突起やスタッドボルトなどの支持部材を、左右均等な長さでないもので別途に用意したり、また、振れ止め装置の場合には、一対の杆状部材の一方の長さよりも、他方の長さを短く切除加工するなどして突出長さを変更し、錠箱支持位置の偏芯に対応させていた。これらの対応策では、いずれも支持部材や杆状部材を切除する煩雑な別途加工が必要となり、このような加工作業が錠箱取付け現場にて行われる場合には、錠箱の取付け作業性が著しく低下するとともに、錠箱の位置決め精度も低下することとなった。このことは、扉の建て付け性の低下や、或いは防犯性の不具合となる場合もある。
【０００５】
さらに、従来の錠箱の位置決め機構では、扉両内壁面へ当接して錠箱を支持する支持部材が点接触で扉内壁面に接触するものがあり、このような場合には所定の錠箱支持力を得るために接触圧を高めて行くと、扉内壁面に応力集中が発生し、扉内壁面を外面側へ変形させてしまう虞があった。このような事態は、特に錠箱交換等のメンテナンス時に発生し易かった。
【０００６】
したがって、扉の厚み方向のセンターに、錠箱の厚み方向のセンターが一致しない錠箱の取付け構造においても、錠箱を扉の両内壁面に支持できるようにする錠箱の位置決め機構が知られ、特許文献１に開示されている。
【先行技術文献】
【特許文献】
【０００７】
【特許文献１】特許第４５６６８３５号公報
【発明の概要】
【発明が解決しようとする課題】
【０００８】
しかしながら、中空扉の木口部分に錠箱を取り付ける際、取り付け作業におけるネジ止め精度などにより、錠箱の側面が扉の両壁面に平行でなく、斜めに傾いていた場合があった。こうした場合、特許文献１では、そのまま傾いた状態で固定されてしまっていた。
【０００９】
本発明の目的は、上記した従来技術の問題点を解決し、錠箱の側面が扉の両内壁面に平行でなく、斜めに傾いていた場合であっても、扉の両内壁面に平行に矯正した位置で、錠箱を扉の両内壁面に高精度かつ確実に支持することができる錠箱の位置決め機構を提供するものである。
【課題を解決するための手段】
【００１０】
上記課題を解決するため、本発明の請求項１記載の錠箱の位置決め機構は、中空扉の木口に一端面が固定されて内蔵される錠箱の両側面を、該両側面それぞれが対面する扉の内壁面に当接支持する錠箱の位置決め機構であって、
前記錠箱の位置決め機構は、固定部材と開閉支持脚と支持部材と保持部材と押圧部材と操作手段とを有し、
前記固定部材は、前記錠箱に固定または一体として設けられ、
前記開閉支持脚は、先端近傍が上下方向の第１の回動軸回りに回動可能に前記固定板に支持され、前記回動軸が配置された前記先端に連動部が設けられた４つの脚から構成され、
該４つの脚は、上下方向の第２の回動軸回りに回動可能に支持する一対の前記支持部材に支持される一対の脚と、長手方向に配置された連動部により連動する一対の脚とから構成され、４つの開脚側先端が前記錠箱の前記両側面より突出して前記扉の両内壁面に近接し、
前記保持部材は、前記一対の支持部材のそれぞれに対して設けられた上下方向の第３の回動軸回りに回動可能であるよう、該一対の支持部材のそれぞれに支持されると共に、前記押圧部材の長手方向への移動と連動して移動するよう構成され、
前記押圧部材は、前記保持部材に係合される係合部と、前記保持部材を押圧する押圧部とから構成され、
前記操作手段は、前記扉の木口に一部分を露出させ該露出部の操作によって前記押圧部材で前記保持部材を押圧し、前記支持部材を介して前記支持部材に支持される一対の脚を押圧し、
前記固定板の長手方向に並んだ前記第１の回動軸の配列および前記４つの脚は、前記４つの脚が開くことで、前記錠箱の両側面を、前記扉の両内壁面に平行にさせるように構成されたことを特徴とする。
【００１１】
本発明の錠箱の位置決め機構は、扉内で錠箱の側面が扉の両内壁面に平行でなく、斜めに傾いて設置されている場合でも調整ネジが回転操作されることで、押圧部材が錠箱の長手方向にスライドされ、押圧部材の押圧部が保持部材を押圧する。保持部材は支持部材のそれぞれに上下方向の第３の回動軸回りに回動可能に支持されると共に、押圧部材の長手方向への移動と連動して移動し、開閉支持脚を開くことができる。一部の開脚先端が扉の内壁面に接すると開き力の反力が、錠箱の側面を扉の内壁面に平行にする向きに掛かる。開閉支持脚を開く操作を続けると、最後には、錠箱の側面が扉の内壁面に平行の位置で開閉支持脚の４つの開脚先端が突っ張り、錠箱の振れを抑えることができる。
【００１２】
本発明の請求項２記載の錠箱の位置決め機構は、前記保持部材は、前記一対の支持部材のそれぞれに上下方向の第３の回動軸回りに回動可能に支持される底面部と、水平方向に長い穴が形成された側面部とから構成され、前記押圧部材に対して揺動自在に設けられたことを特徴とする。
【００１３】
本発明の錠箱の位置決め機構は、扉内で錠箱の側面が扉の両内壁面に平行でなく、斜めに傾いて設置されている場合でも調整ネジが回転操作されることで、押圧部材が錠箱の長手方向にスライドされ、押圧部材の押圧部が保持部材の側面部を押圧する。保持部材の側面部には、水平方向に細く延びた穴が形成され、穴には、押圧部材の係合部が係合される。係合部は、保持部材が押圧部材に対して揺動自在に動くことができる長さに形成されているので、保持部材は押圧部材に対して揺動することができる。
【００１４】
本発明の請求項３記載の錠箱の位置決め機構は、前記保持部材は、前記一対の支持部材のそれぞれに上下方向の第３の回動軸回りに回動可能に支持されると共に、第４の回動軸回りに回動可能であるよう前記押圧部材に連結されるよう構成されたことを特徴とする
【００１５】
本発明の錠箱の位置決め機構は、扉内で錠箱の側面が扉の両内壁面に平行でなく、斜めに傾いて設置されている場合でも調整ネジが回転操作されることで、押圧部材が錠箱の長手方向にスライドされ、押圧部材の押圧部が保持部材を押圧する。保持部材が、支持部材のそれぞれに上下方向の第３の回動軸回りに回動可能に支持されると共に、第４の回動軸回りに回動可能であるよう前記押圧部材に連結されているので、保持部材が押圧部材に対して回動可能となっている。
【００１６】
本発明の請求項４記載の錠箱の位置決め機構は、前記４つの脚の長手方向の長さが全て等しく、かつ、前記固定部材の長手方向に並んだ前記第１の回動軸の配列および前記４つの脚が前記錠箱の側面に平行に配置され、前記４つの脚を開くことで、前記錠箱の両側面を、前記扉の両内壁面に平行にさせるように構成されたことを特徴とする。
【００１７】
本発明の錠箱の位置決め機構は、固定部材の長手方向に並んだ第１の回動軸が錠箱の側面に平行で、４つの開閉支持脚の長さが等しいことにより、接している開脚先端に開き力の反力が、錠箱の側面を扉の内壁面に平行にする向きに掛かる。錠箱の側面が扉の内壁面に平行の位置で開閉支持脚の４つの開脚先端が突っ張り、錠箱の振れを抑えることができる。
【００１８】
本発明の請求項５記載の錠箱の位置決め機構は、前記錠箱の上部及び下部のそれぞれに設けられたことを特徴とすると、を有すること特徴とする。
【００１９】
本発明の錠箱の位置決め機構では、錠箱が上下で扉の両内壁面に開閉支持脚を介して支持されることとなり、支持箇所が増大する。
【００２０】
本発明の請求項６記載の錠箱の位置決め機構は、前記係合部が、一端で前記押圧部に連接され、他端の先端近傍が、前記保持部材に形成された前記穴の上下方向の幅より上下方向の幅が大きくなるように構成されたことを特徴とする。
【００２１】
本発明の錠箱の位置決め機構では、係合部の先端が、保持部材に形成された穴の上下方向の幅より上下方向の幅が大きくなるように構成されているので、押圧部材が保持部材を押圧し、保持部材が揺動しても、係合部が保持部材に形成された穴から外れないようにできる。
【００２２】
本発明の請求項７記載の錠箱の位置決め機構は、前記操作手段は、調整ネジとナットとから構成され、調整ネジは押圧部材の押圧部に固定され、取り付け固定部材に固定されるナットに螺合されるとともに、扉の木口に露出させた前記露出部である頭部の回動操作によって前記押圧部材を介して前記保持部材と前記支持部材を押圧可能とし、前記支持部材に支持される一対の脚を開閉可能としたことを特徴とする。
【００２３】
本発明の錠箱の位置決め機構では、調整ネジが回転操作されることで、押圧部材が固定部材の長手方向にスライドされると、押圧部材の押圧部が保持部材の側面部を押圧し、保持部材の平面部に取り付けられた支持部材が、開閉支持脚の第２の回動軸を押圧する。
【００２４】
本発明の請求項８記載の錠箱の位置決め機構は、前記４つの開閉支持脚のそれぞれの開脚側先端に、前記回動軸と同方向の軸を介して回動自在に支持され開脚側外面が前記扉の内壁面に当接する当接部材を有することを特徴とする。
【００２５】
本発明の錠箱の位置決め機構では、例えば当接部材が板部材で形成される場合であっても、板材の端面よりも大きな折曲当接片部を両内壁面へ当接させることが可能となり、両内壁面への応力をより大きな面積に分散させることが可能となる。
【発明の効果】
【００２６】
本発明によれば、錠箱の側面が扉の両内壁面に平行でなく、斜めに傾いていた場合でも、扉の両内壁面に平行に矯正した位置で、錠箱を扉の両内壁面に高精度かつ確実に支持することができ、取り付けの位置決め精度の向上、作業性の向上を実現することができる。
また、錠箱が開閉支持脚の４箇所で扉の両内壁面に固定されているため、強く固定しても扉の変形を招き難い。
【図面の簡単な説明】
【００２７】
【図１】本発明に係る錠箱の位置決め機構が上下に設けられた錠箱の側面図である。
【図２】本発明に係る錠箱の位置決め機構を上方向から見た概略図である。（ａ）は開閉支持脚が閉じた状態の図で、（ｂ）は開閉支持脚が開いた状態の図である。
【図３】本発明に係る錠箱の位置決め機構において開閉支持脚の支持過程を（ａ）〜（ｄ）で表した動作説明図である。
【図４】本発明に係る錠箱の位置決め機構において、錠箱が偏芯して設置された場合に開閉支持脚の支持過程を（ａ）、（ｂ）で表した動作説明図である。
【図５】本発明に係る錠箱の位置決め機構において、錠箱が偏芯して設置された場合に開閉支持脚の支持過程を（ｃ）、（ｄ）で表した動作説明図である。
【図６】本発明に係る錠箱の位置決め機構における開閉支持脚に当接部材を設けた図である。
【発明を実施するための形態】
【００２８】
以下、本発明に係る錠箱１の位置決め機構の一実施形態を図面を参照して詳細に説明する。図１は、本発明に係る錠箱１の位置決め機構が上下に設けられた錠箱１の側面図である。図２は、本発明に係る錠箱１の位置決め機構を上方向から見た概略図である。
本実施の形態における錠箱１の位置決め機構は、中空扉の木口に一端面を固定して内蔵される錠箱１の両側面を、対面する扉の両内壁面に当接支持するよう働く。この錠箱の位置決め機構は、少なくとも錠箱１の上下面のいずれか一方、或いは中途位置に設けられる。本実施の形態では、図１に示すように、錠箱１の上面と下面とのそれぞれに設けられる。
【００２９】
錠箱１の上部及び下部のそれぞれに位置決め機構が設けられることにより、錠箱１が上下で扉の両内壁面に支持されることとなり、支持箇所が増大して錠箱１のより確実な位置決めが可能となるようになっている。なお、錠箱１の上部、下部に設けられる位置決め機構は、略同一構成であるため、本実施の形態の説明では、図１に示した上部に設けられる位置決め機構のみを例に説明する。
【００３０】
錠箱１の位置決め機構は、開閉支持脚２と、支持部材３と、保持部材４と、押圧部材５と、操作手段である調整ネジ６と固定部材７とを主要な構成部材として有している。固定部材７は、開閉支持脚２を開閉自在に保持するとともに、保持部材４、押圧部材５、調整ネジ６を保持した状態で、錠箱１の上面と下面に固定または一体となっている。また、上ケース２０は錠箱１の位置決め機構を覆うため、固定部材７に固定されている。
尚、上ケース２０は本実施の形態に限定されず、例えば上ケース２０が設けられていない構成であってもよい。
【００３１】
固定された錠箱１の位置決め機構は、取付け固定部材１７に穿設された貫通穴から調整ネジ６の頭部が露出されるようになっている。したがって、工具によって調整ネジ６が回動操作可能となっている。
【００３２】
開閉支持脚２は、図２に示すように、先端近傍が上下方向の第１の回動軸（ピン）８ａ、８ｂ、８ｃ、８ｄ回りに回動可能に固定部材７に支持され、回動軸８ａ、８ｂ、８ｃ、８ｄが配置された先端に連動部９ａ、９ｂ、９ｃ、９ｄが設けられた４つの脚２ａ、２ｂ、２ｃ、２ｄから構成されている。４つの脚２ａ、２ｂ、２ｃ、２ｄは、それぞれ等しい長さに形成されている。脚２ａ、２ｄのそれぞれの回動軸（ピン）８ａ、８ｄは、錠箱１の側面１９に平行に設置されている。同様に、脚２ｂ、２ｃのそれぞれの回動軸８ｂ、８ｃは、錠箱１の側面１９に平行に設置されている。
【００３３】
開閉支持脚２は、第１の回動軸（ピン）８ａ、８ｂ、８ｃ、８ｄが配置された先端に連動部９ａ、９ｂ、９ｃ、９ｄが形成され、上下方向の第２の回動軸１０を介し回動可能に支持する一対の支持部材３に支持される一対の脚２ａ、２ｂと、脚２ａの連動部９ａと連動部９ｄが、脚２ｂの連動部９ｂと連動部９ｃが連動する一対の脚２ｃ、２ｄとから構成される。支持部材３に支持される脚２ａ、２ｂが開脚することで、脚２ａの連動部９ａと連動部９ｄが、脚２ｂの連動部９ｂと連動部９ｃが連動する脚２ｃ、２ｄも同時に開脚し、４つの開脚先端２１が錠箱１の両側面より突出して扉の両内壁面１８に近接する。
【００３４】
１対の支持部材３の一端は、中空扉の木口側に設けられている１対の開閉支持脚２ａ、２ｂに第２の回動軸（ピン）１０により回動可能に固定されている。１対の支持部材３の他端は、保持部材４の底面部に第３の回動軸（ピン）１１により回動可能に固定されている。
【００３５】
保持部材４は、底面部と側面部から構成され、Ｌ字状に形成されている。上述のように、保持部材４の底面部は、回動軸穴を介して第３の回動軸１１により回動可能に１対の支持部材３の一端に固定されている。保持部材４の側面部には、水平方向に細く延びた穴１２が形成されている。穴１２には、押圧部材５の係合部１３が係合される。
【００３６】
押圧部材５は、保持部材４の穴１２に係合される係合部１３と、保持部材４の側面部を押圧する押圧部１５とから構成されている。係合部１３は、保持部材４が押圧部材５に対して揺動自在に動くことができるような長さに形成されている。押圧部１５は、保持部材４の側面部に当接されるため、上下方向の幅が穴１２の上下方向の幅より大きく形成されている。係合部１３が穴１２から外れないように、係合部１３の先端１４は、穴１２の上下方向の幅より上下方向の幅が大きくなるように構成されている。係合部１３の先端１４の形状は係合部１３が穴１２から外れないような形状であれば、板状体に限定されず、各種の形状であってよい。
【００３７】
調整ネジ６は、押圧部材５の押圧部１５における中空扉の木口側に固定され、ナット１６により錠箱１の前面の取付け固定部材１７に螺合される。取付け固定部材１７は、下部固定部材７ｂに垂直に固定されている。調整ネジ６の頭部が、調整治具、例えばドライバ（プラスドライバ）等の工具により回転されることで、押圧部材５は、固定部材７の長手方向にスライドされる。
【００３８】
したがって、調整ネジ６が回転操作されることで、押圧部材５が固定部材７の長手方向にスライドされると、押圧部材５の押圧部１５が保持部材４の側面部を押圧し、保持部材４の平面部に取り付けられた支持部材４が、開閉支持脚２ａ、２ｂの第２の回動軸１０を押圧する。図２（ｂ）に示すように、開閉支持脚２ａ、２ｂの一端近傍は、回動軸８ａ、８ｂにより回動自在に固定されているので、開閉支持脚２ａ、２ｂが除々に開脚し、ハの字になる。それと同時に、支持部材３は両端が第２の回動軸１０と第３の回動軸１１により回動自在に固定されているので、支持部材３は逆ハの字に開脚する。
【００３９】
開閉支持脚２ｄと開閉支持脚２ａのそれぞれの連動部９ｄと連動部９ａは噛み合っているので、開閉支持脚２ｄは開閉支持脚２ａと連動される。同様に、開閉支持脚２ｃと開閉支持脚２ｂのそれぞれの連動部９ｃと連動部９ｂは噛み合っているので、開閉支持脚２ｃは開閉支持脚２ｂと連動される。したがって、開閉支持脚２ａ、２ｂがハの字に開脚するのと同時に、連動する開閉支持脚２ｃ、２ｄが逆ハの字に開脚する。
【００４０】
開脚された開閉支持脚２ａ、２ｂ、２ｃ、２ｄは、それぞれの外側の開脚先端２１ａ、２１ｂ、２１ｃ、２１ｄが扉の内壁面１８に当接する。よって、錠箱１は扉の内部にしっかり固定される。錠箱１は開閉支持脚２ａ、２ｂ、２ｃ、２ｄの４箇所で扉の内壁面１８に固定されているので、強い力で固定しても比較的扉の変形を招き難い効果を有する。
【００４１】
次に、このように構成される錠箱１の位置決め機構の動作を説明する。図３は、扉内で錠箱１の側面１９が扉の両内壁面１８に平行でなく、斜めに傾いている場合、錠箱１の位置決め機構においての開閉支持脚２の支持過程を（ａ）〜（ｄ）で表した動作説明図である。
【００４２】
図３（ａ）は、扉内で錠箱１の側面１９が扉の両内壁面１８に平行でなく、斜めに傾いて設置されている。図３（ｂ）では、調整ネジ６が回転操作されることで、押圧部材５が錠箱１の長手方向にスライドされ、開閉支持脚２が同時に開き始める。錠箱１の側面１９の傾き具合により、開閉支持脚２の開脚先端２１が扉の内壁面に最短距離である開脚先端２１が、最初に扉の内壁面１８に接する。この例では、開閉支持脚２ｄの開脚先端２１ｄが扉の内壁面１８に接している。図３（ｃ）では、続けて調整ネジ６が回転操作されることで、押圧部材５が錠箱１の長手方向にスライドされ、押圧部材５の押圧部１５が保持部材４の側面部を押圧する。保持部材４は押圧部材５に対して揺動し、支持部材３ｂが開くことにより、開閉支持脚２ｄの対角にある開閉支持脚２ｂも開いていき、開閉支持脚２ｂの開脚先端２１ｂが扉の内壁面１８に接する。
【００４３】
図３（ｄ）では、さらに開閉支持脚２を開く操作を続けると、接している開脚先端２１ｂ、２１ｄに開き力の反力が、錠箱１の側面を扉の内壁面１８に平行にする向きに掛かる。これは、上述のように、第１の回動軸８ａと第１の回動軸８ｄ及び第１の回動軸８ｂと第１の回動軸８ｃが錠箱１の側面１９と平行に設置され、４つの脚２ａ、２ｂ、２ｃ、２ｄの長さが等しいためである。開閉支持脚２を開く操作を続けると、錠箱１の側面１９が扉の内壁面１８に平行の位置に錠箱１が回動し、開閉支持脚２ｃの開脚先端２１ｃが扉の内壁面１８に接する。最後に、保持部材４は押圧部材５に対して揺動し、支持部材３ａが開くことにより、開閉支持脚２ａ、２ｄが開き、開閉支持脚２ａ、２ｄの開脚先端脚２１ａ、２１ｄが扉の内壁面１８に接する。したがって、開閉支持脚２ａ、２ｂ、２ｃ、２ｄの４つの開脚先端２１ａ、２１ｂ、２１ｃ、２１ｄは扉の両内壁面１８に固定され、錠箱１の振れを抑えることができる。
【００４４】
一方、図４、図５は、扉内で錠箱１の側面１９が扉の両内壁面１８に平行でなく、斜めに傾いて設置され、扉の厚み方向のセンターＡに錠箱１の厚み方向のセンターＢが一致しない錠箱１の位置決め機構においての開閉支持脚２の支持過程を（ａ）〜（ｄ）で表した動作説明図である。扉の厚み方向のセンターＡに錠箱１の厚み方向のセンターＢが一致しない錠箱取付け構造では、扉のセンターＡと錠箱１のセンターＢとの間隔だけ偏芯して配置される。
【００４５】
このように構成される錠箱１の位置決め機構の作用を説明する。図４（ａ）は、扉内で錠箱１の側面１９が扉の両内壁面１８に平行でなく、斜めに傾いて設置されている。図４（ｂ）では、調整ネジ６を回転操作することにより、開閉支持脚２ａ、２ｂ、２ｃ、２ｄが同時に開き始め、開閉支持脚２ｂの開脚先端２１ｂが扉の内壁面１８に接している。図５（ｃ）では、続けて調整ネジ６が回転操作されることで、押圧部材５が錠箱１の長手方向にスライドされ、押圧部材５の押圧部１５が保持部材４の側面部を押圧する。保持部材４の側面部には、水平方向に細く延びた穴１２が形成され、穴１２には、押圧部材５の係合部１３が係合される。係合部１３は、保持部材４が押圧部材５に対して揺動自在に動くことができる長さに形成されているので、保持部材４は押圧部材５に対して揺動する。支持部材３ａが開くことにより、開閉支持脚２ａが開き、開閉支持脚２ｂの対角にある開閉支持脚２ｄも開いていき、開閉支持脚２ｄの開脚先端２１ｄが扉の内壁面１８に接する。
【００４６】
図５（ｄ）では、さらに開閉支持脚２を開く操作を続けると、接している開脚先端２１ｂ、２１ｄに開き力の反力が、錠箱１の側面１９を扉の内壁面１８に平行にする向きに掛かる。これは、上述のように、回動軸８、８が錠箱１の側面１９と平行に設置され、４つの脚２の長さが等しいためである。開閉支持脚２を開く操作を続けると、最後には、錠箱１の側面１９が扉の内壁面１８に平行の位置で開閉支持脚２の４つの開脚先端２１が突っ張り、錠箱１の振れを抑える。
【００４７】
これは、上述のように、第１の回動軸８ａと第１の回動軸８ｄ及び第１の回動軸８ｂと第１の回動軸８ｃが錠箱１の側面１９と平行に設置され、４つの脚２ａ、２ｂ、２ｃ、２ｄの長さが等しいためである。開閉支持脚２を開く操作を続けると、錠箱１の側面１９が扉の内壁面１８に平行の位置に錠箱１が回動し、開閉支持脚２ｃの開脚先端２１ｃが扉の内壁面１８に接する。最後に、保持部材４は押圧部材５に対して揺動し、支持部材３ａが開くことにより、開閉支持脚２ａ、２ｄが開き、開閉支持脚２ａ、２ｄの開脚先端脚２１ａ、２１ｄが扉の内壁面１８に接する。したがって、開閉支持脚２ａ、２ｂ、２ｃ、２ｄの４つの開脚先端２１ａ、２１ｂ、２１ｃ、２１ｄは扉の両内壁面１８に固定され、錠箱１の振れを抑えることができる。
【００４８】
この結果、錠箱１を扉の両内壁面１８に高精度かつ確実に支持できる。また、錠箱１を偏芯させて取り付ける錠箱１の位置決め機構において、錠箱１の側面１９が扉の両内壁面１８に平行でなく、斜めに傾いていた場合でも、扉の両内壁面１８に平行に矯正した位置で、錠箱１を扉の両内壁面１８に高精度かつ確実に支持することができ、取り付けの位置決め精度の向上、作業性の向上を実現することができる。
尚、錠箱１を扉厚中心に持っていこうとする作用は、操作途中にわずかに発生するが、最終的に錠箱１の側面１９は、扉の内壁面１８に平行になる。
【００４９】
図６は、錠箱１の位置決め機構における開閉支持脚２に当接部材３２を設けた図である。本発明に係る錠箱１の位置決め機構では、開閉支持脚２ａ、２ｂ、２ｃ、２ｄのそれぞれの開脚側先端に、第４の回動軸３１ａ、３１ｂ、３１ｃ、３１ｄを介して当接部材３２ａ、３２ｂ、３２ｃ、３２ｄが回動自在に支持されていてもよい。本実施の形態では、当接部材３２が、一つの角部にＲを形成した短冊状の板材からなる。当接部材３２は、開閉支持脚２の開脚側先端が開脚されると、開脚側外面が扉の内壁面１８に当接する。開閉支持脚２ａ、２ｂ、２ｃ、２ｄのそれぞれには、当接部材３２ａ、３２ｂ、３２ｃ、３２ｄの逆回りを防止する突起３３ａ、３３ｂ、３３ｃ、３３ｄが突設されている。
【００５０】
また、この際、開閉支持脚２が常に当接部材３２を介して扉の両内壁面１８に当接することとなり、開閉支持脚２が点接触することがなくなり、扉の内壁面１８に応力集中が発生しなくなる。これにより、錠箱１を支持するに際して扉の両内壁面１８の変形を防止することができる。
【００５１】
なお、上述した各実施形態は本発明の好適な実施形態であり、本発明はこれに限定されることなく、本発明の技術的思想に基づいて種々変形して実施することが可能である。
【００５２】
例えば、保持部材は、一対の支持部材のそれぞれに対して、上下方向の第３の回動軸（ピン）回りに回動可能に支持されると共に、第４の回動軸（ヒンジ）回りに回動可能であるよう押圧部材に連結された構成であってもよい。
【００５３】
また、保持部材４と押圧部材５は、押圧部材５が保持部材４を押圧することにより、その押圧と連動して開閉支持脚２の一対の脚２ａ、２ｂを開脚することができれば、本実施の形態に限定されず、各種の構成であってよい。
【符号の説明】
【００５４】
１    錠箱
２    開閉支持脚
３    支持部材
４    保持部材
５    押圧部材
６    調整ネジ
７    固定部材
８    回動軸
９    連動部
１８    扉の内壁面
１９    錠箱の側面
【図１】
2012215020.tif 000003
【図２】
2012215020.tif 000004
【図３】
2012215020.tif 000005
【図４】
2012215020.tif 000006
【図５】
2012215020.tif 000007
【図６】
2012215020.tif 000008